【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
情報が記録される記録領域と、
前記情報が記録されない非記録領域と、
前記非記録領域に形成された開口部と、
を備えることを特徴とするインクジェットプリンターに用いられる用紙。
【請求項２】
前記開口部は、第１の開口と、前記第１の開口の第１の方向及び前記第１の方向と交差する第２の方向に離れて形成された第２の開口とを有する請求項１に記載のインクジェットプリンターに用いられる用紙。
【請求項３】
前記記録領域は、前記第１の方向に第１の幅を有し、
前記第１の開口の前記第１の方向の一方端から前記第２の開口の前記第１の方向の他方端までの長さは前記第１の幅よりも長い請求項２に記載のインクジェットプリンターに用いられる用紙。
【請求項４】
前記第１の開口は、前記記録領域の前記第２の方向の一方側に形成され、
前記第２の開口は、前記記録領域の前記第２の方向の他方側に形成される請求項３に記載のインクジェットプリンターに用いられる用紙。
【請求項５】
前記開口部は、前記記録領域の前記第１の方向に沿って開口している請求項３に記載のインクジェットプリンターに用いられる用紙。
【請求項６】
前記情報が記録される記録面、及び粘着材が塗布される粘着面を有するラベル、及び前記ラベルが貼付けられる台紙を有し、
前記記録領域は前記ラベルの前記記録面にあり、
前記開口部は、前記台紙の前記ラベルが貼付けられていない領域に形成される請求項１に記載のインクジェットプリンターに用いられる用紙。
【請求項７】
前記第１の開口の前記第１の方向に形成されたミシン目を有する請求項２に記載のインクジェットプリンターに用いられる用紙。
【請求項８】
前記記録領域は、第１の方向に第１の幅を有し、
前記開口部は、前記第１の方向に前記第１の幅と等しいか、前記第１の幅よりも長い第２の幅を有する請求項１に記載のインクジェットプリンターに用いられる用紙。
【請求項９】
第１の方向にインクを吐出するノズルを配設し、情報を記録するインクジェットヘッドと、
前記インクジェットヘッドに対向して前記ノズルから吐出されたインクを貯留するインク収容部を有し、開口部が形成された用紙をガイドするプラテンと、
前記第１の方向と交差する第２の方向に前記用紙を搬送して、前記用紙を前記プラテンに移動させる紙搬送部と、
前記用紙の前記開口部が前記インクジェットヘッドと対向する位置に搬送されたときに、インクを前記インク収容部に吐出させる印刷制御部と、
を備えることを特徴とするインクジェットプリンター。
【請求項１０】
前記用紙は、第１の開口と、前記第１の開口の前記第１の方向及び前記第２の方向に離れて形成された第２の開口とを有し、
前記印刷制御部は、前記第１の開口が前記インクジェットヘッドと対向する位置に搬送されたときに、前記インクジェットの前記第１の開口と対向するノズルからインクを前記インク収容部に吐出し、前記第２の開口が前記インクジェットヘッドと対向する位置に搬送されたときに、前記インクジェットの前記第２の開口と対向するノズルからインクを前記インク収容部に吐出する請求項９に記載のインクジェットプリンター。
【請求項１１】
前記用紙に形成された開口部を検知する開口部検知部を有し、
前記開口部検出部の検出結果に基づいて、前記印刷制御部は、前記用紙の前記開口部が前記インクジェットヘッドと対向する位置に搬送されたことを判別する請求項９に記載のインクジェットプリンター。
【請求項１２】
前記用紙は、前記情報が記録される記録領域を有し、
前記印刷制御部は、前記用紙の前記記録領域が前記インクジェットと対向する位置に搬送されたとき、前記インクジェットヘッドの前記ノズルからインクを吐出して前記情報を前記記録領域に記録させる請求項９に記載のインクジェットプリンター。
【請求項１３】
前記インクジェットヘッドは、前記インク収容部を有するプラテンと対向する位置に固定配置されたライン型のインクジェットヘッドである請求項９に記載のインクジェットプリンター。
【請求項１４】
第１の方向に沿って開口部が形成された用紙を前記第１の方向と交差する第２の方向に搬送し、
前記用紙の前記開口部がインクジェットヘッドと対向する位置に搬送されたときに、前記インクジェットと前記開口部を介して対向するインク収容部に、前記インクジェットヘッドに形成されたノズルからインクを予備吐出することを特徴とするインクジェットプリンターの予備吐出方法。
【請求項１５】
前記第２の方向に前記用紙を搬送しているときに、前記用紙の前記開口部を検出し、
検出された前記開口部の情報に基づいて、前記インクジェットヘッドと対向する位置に搬送されたことを判別し、
前記用紙の前記開口部がインクジェットヘッドと対向する位置に搬送されたことを判別したときに、前記インク収容部にインクを予備吐出する請求項１４に記載のインクジェットプリンターの予備吐出方法。
【手続補正２】
【補正対象書類名】明細書
【補正対象項目名】発明の名称
【補正方法】変更
【補正の内容】
【発明の名称】インクジェットプリンターに用いられる用紙、インクジェットプリンター、およびインクジェットプリンターの予備吐出方法
【手続補正３】
【補正対象書類名】明細書
【補正対象項目名】０００３
【補正方法】変更
【補正の内容】
【０００３】
インクジェットヘッドが記録用紙の搬送方向と直交する方向に移動するシリアル型のインクジェットプリンターや、単票紙に情報を記録するインクジェットプリンターは、記録用紙への記録領域以外の領域や、記録用紙間で予備吐出を行う。
【手続補正４】
【補正対象書類名】明細書
【補正対象項目名】０００４
【補正方法】変更
【補正の内容】
【０００４】
近年、記録印刷の高速化等を目的に、記録用紙の記録領域以上の幅寸法を備えるインクジェットヘッドを記録位置に停止させたままの状態で記録用紙に情報を記録するライン型のインクジェットプリンターが提案されている。この種のインクジェットプリンターにおいて、記録用紙として長尺の用紙が使用される場合がある。この場合、予備吐出動作を確保するため、記録用紙上に予備吐出領域を設け、その予備吐出領域に向け予備吐出を行うインクジェットプリンターが提案されている（例えば、特許文献１参照）。
【手続補正５】
【補正対象書類名】明細書
【補正対象項目名】０００８
【補正方法】変更
【補正の内容】
【０００８】
本発明のインクジェット用紙は、情報が記録される記録領域と、前記情報が記録されない非記録領域と、前記非記録領域に形成された開口部と、を備えることを特徴とする。
ここで、前記開口部は、第１の開口と、前記第１の開口の第１の方向及び前記第１の方向と交差する第２の方向に離れて形成された第２の開口とを有することが好ましい。
また、前記記録領域は、前記第１の方向に第１の幅を有し、前記第１の開口の前記第１の方向の一方端から前記第２の開口の前記第１の方向の他方端までの長さは前記第１の幅と等しいか、前記第１の幅よりも長いことが好ましい。
また、前記開口部は、前記記録領域の前記第１の方向に沿って開口していることが好ましい。
また、前記記録領域は、第１の方向に第１の幅を有し、前記開口部は、前記第１の方向に前記第１の幅と等しいか、前記第１の幅よりも長い第２の幅を有することが好ましい。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、前記第１の開口は、前記記録領域の前記第２の方向の一方側に形成され、前記第２の開口は、前記記録領域の前記第２の方向の他方側に形成されることが好ましい。
【手続補正８】
【補正対象書類名】明細書
【補正対象項目名】００１３
【補正方法】変更
【補正の内容】
【００１３】
また、前記情報が記録される記録面、及び粘着材が塗布される粘着面を有するラベル、及び前記ラベルが貼付けられる台紙を有し、前記記録領域は前記ラベルの前記記録面にあり、前記開口部は、前記台紙の前記ラベルが貼付けられていない領域に形成されることが好ましい。
【手続補正９】
【補正対象書類名】明細書
【補正対象項目名】００１５
【補正方法】変更
【補正の内容】
【００１５】
また、前記第１の開口の前記第１の方向に形成されたミシン目を有することが好ましい。
【手続補正１０】
【補正対象書類名】明細書
【補正対象項目名】００１７
【補正方法】変更
【補正の内容】
【００１７】
本発明のインクジェットプリンターは、
第１の方向にインクを吐出するノズルを配設し、情報を記録するインクジェットヘッドと、
前記インクジェットヘッドに対向して前記ノズルから吐出されたインクを貯留するインク収容部を有し、開口部が形成された用紙をガイドするプラテンと、前記第１の方向と交差する第２の方向に前記用紙を搬送して、前記用紙を前記プラテンに移動させる紙搬送部と、前記用紙の前記開口部が前記インクジェットヘッドと対向する位置に搬送されたときに、インクを前記インク収容部に吐出させる印刷制御部と、を備えることを特徴とする。
また、前記用紙は、第１の開口と、前記第１の開口の前記第１の方向及び前記第２の方向に離れて形成された第２の開口とを有し、前記印刷制御部は、前記第１の開口が前記インクジェットヘッドと対向する位置に搬送されたときに、前記インクジェットの前記第１の開口と対向するノズルからインクを前記インク収容部に吐出し、前記第２の開口が前記インクジェットヘッドと対向する位置に搬送されたときに、前記インクジェットの前記第２の開口と対向するノズルからインクを前記インク収容部に吐出する。
また、前記用紙に形成された開口部を検知する開口部検知部を有し、前記開口部検出部の検出結果に基づいて、前記印刷制御部は、前記用紙の前記開口部が前記インクジェットヘッドと対向する位置に搬送されたことを判別する。
また、前記用紙は、前記情報が記録される記録領域を有し、前記印刷制御部は、前記用紙の前記記録領域が前記インクジェットと対向する位置に搬送されたとき、前記インクジェットヘッドの前記ノズルからインクを吐出して前記情報を前記記録領域に記録させる。
ここで、前記インクジェットヘッドは、前記インク収容部を有するプラテンと対向する位置に固定配置されたライン型のインクジェットヘッドであることが好ましい。
【手続補正１１】
【補正対象書類名】明細書
【補正対象項目名】００１９
【補正方法】変更
【補正の内容】
【００１９】
本発明のインクジェットプリンターの予備吐出方法は、第１の方向に沿って開口部が形成された用紙を前記第１の方向と交差する第２の方向に搬送し、前記用紙の前記開口部がインクジェットヘッドと対向する位置に搬送されたときに、前記インクジェットと前記開口部を介して対向するインク収容部に、前記インクジェットヘッドに形成されたノズルからインクを予備吐出することを特徴とする。
また、前記第２の方向に前記用紙を搬送しているときに、前記用紙の前記開口部を検出し、検出された前記開口部の情報に基づいて、前記インクジェットヘッドと対向する位置に搬送されたことを判別し、前記用紙の前記開口部がインクジェットヘッドと対向する位置に搬送されたことを判別したときに、前記インク収容部にインクを予備吐出する。
【手続補正１２】
【補正対象書類名】明細書
【補正対象項目名】００２３
【補正方法】変更
【補正の内容】
【００２３】
（インクジェットプリンターの全体構成について）
まず、本実施形態に係るインクジェット用紙が適用されるインクジェットプリンターの全体構成について、図１を参照して説明する。図１はインクジェットプリンターの全体構成を示す概略断面図である。なお、図１に示すＸ方向はインクジェット用紙の搬送方向（第２の方向）を示し、Ｙ方向は、インクジェット用紙の幅方向（第１の方向）を示し、Ｚ方向は、Ｘ方向およびＹ方向と直交する方向を示す。
【手続補正１３】
【補正対象書類名】明細書
【補正対象項目名】００３２
【補正方法】変更
【補正の内容】
【００３２】
プラテン４０は、上述のインクジェットヘッド３２のノズル３６面に対して一定の間隙を有し、Ｚ方向においてインクジェットヘッド３２と対向して配置されている。このプラテン４０は、Ｙ方向に長い扁平な直方体形状を呈しており、プラテン４０の表面には、ラベル紙９０の搬送方向に延びる複数本の縦リブが所定の間隔で形成されている。プラテン４０の表面によって、インクジェットヘッド３２による記録位置が規定される。また、プラテン４０は、キャリッジ３４に搭載されたインクジェットヘッド３２の各ノズル３６に対向する位置に予備吐出インク収容部６０を備えている。
【手続補正１４】
【補正対象書類名】明細書
【補正対象項目名】００３５
【補正方法】変更
【補正の内容】
【００３５】
（プリンターの制御について）
プリンターの制御系について、図２を参照して説明する。図２は、プリンターの主要構成を示すブロック図である。図２に示すように、プリンター１０は、紙搬送部２０、インクジェットヘッド３２を有する記録部３０、開口部検出部５０と、これらを統括的に制御する制御装置７０（印刷制御部）とを備えている。
【手続補正１５】
【補正対象書類名】明細書
【補正対象項目名】００４２
【補正方法】変更
【補正の内容】
【００４２】
図３に示すように、インクジェット用紙８０としてのラベル紙９０は、台紙９２と、ラベル９４とから構成される。ラベル９４は、四角形状を呈し裏面に粘着材が塗布されている。ラベル９４の表面は、上述のプリンター１０が情報を記録する記録領域９５となっている。このラベル９４は、台紙９２の一面に長さ方向（第２の方向）へ所定のピッチＰで連続的に貼付される。
【手続補正１６】
【補正対象書類名】明細書
【補正対象項目名】００４３
【補正方法】変更
【補正の内容】
【００４３】
台紙９２は、第１の方向に所定の幅を有し長尺状に形成され、一方の面９２ａにはラベル９４の剥離を容易にするコーティング層９８が形成されている。また、台紙９２は、ラベル９４が貼付されていない領域（以降、記録外領域９７という）に、長さ方向に沿って所定のピッチＰで矩形形状の穴である開口部９６が連続的に形成されている。
【手続補正１７】
【補正対象書類名】明細書
【補正対象項目名】００４４
【補正方法】変更
【補正の内容】
【００４４】
開口部９６の台紙９２の幅方向（第１の方向）の長さｍは、少なくともラベル９４の幅方向の長さ、もしくは記録領域９５の幅方向の長さｎより大きく形成されている。また、開口部９６のラベル紙９０の長尺方向（搬送方向）の長さは任意の長さに設定されている。開口部９６の開口形状は矩形形状に限定されるものではなく如何ようにも変形できるものとする。
【手続補正１８】
【補正対象書類名】明細書
【補正対象項目名】００５５
【補正方法】変更
【補正の内容】
【００５５】
４つの穴部９１ａ，９１ｂ，９１ｃ，９１ｄの幅方向のトータル長さｍ（穴部９１ａの一方端から穴部９１ｄの他方端までの幅方向の長さ）は、少なくともラベル９４の幅方向の長さ、もしくは記録領域９５の幅方向の長さｎより大きく形成されている。穴部９１ａ，９１ｂ，９１ｃ，９１ｄのラベル紙９０Ａの長尺方向の長さは任意の長さに設定される。また、穴部９１ｎの数（図５（ａ）ではｎ＝４）、開口形状は上記実施形態に限定されるものではなく如何ようにも変形できるものとする。
【手続補正１９】
【補正対象書類名】明細書
【補正対象項目名】００５８
【補正方法】変更
【補正の内容】
【００５８】
４つの穴部９３ａ，９３ｂ，９３ｃ，９３ｄの幅方向のトータル長さｍ（穴部９３ａの一方端から穴部９３ｄの他方端までの幅方向の長さ）は、少なくともラベル９４の幅方向の長さ、もしくは記録領域９５の幅方向の長さｎより大きく形成されている。穴部９３ａ，９３ｂ，９３ｃ，９３ｄのラベル紙９０Ｂの長尺方向の長さは任意の長さに設定される。また、穴部９３ｎの数、開口形状は上記実施形態に限定されるものではなく如何ようにも変形できるものとする。
【手続補正２０】
【補正対象書類名】明細書
【補正対象項目名】００６１
【補正方法】変更
【補正の内容】
【００６１】
記録用紙８２には、記録領域９５以外の領域のミシン目８１に係るように複数（本実施形態では４つ）の矩形形状の穴部９９ａ，９９ｂ，９９ｃ，９９ｄからなるミシン目８１を形成する穴よりも広い開口部群９６Ｃが形成されている。すなわち、穴部９９ａ、９９ｂの幅方向（第１の方向）にミシン目８１が形成される。開口部群９６Ｃは、１つの記録領域９５を長尺方向に挟んで穴部９９ａ，９９ｂの組と穴部９９ｃ，９９ｄの組とに分離されている。
【手続補正２１】
【補正対象書類名】明細書
【補正対象項目名】００６２
【補正方法】変更
【補正の内容】
【００６２】
４つの穴部９９ａ，９９ｂ，９９ｃ，９９ｄの幅方向のトータル長さｍ（穴部９９ａの一方端から穴部９９ｃの他方端までの幅方向の長さ）は、少なくとも記録領域９５の幅方向の長さｎより大きく形成されている。穴部９９ａ，９９ｂ，９９ｃ，９９ｄの長尺方向の長さは任意の長さに設定される。また、穴部９９ｎの数、開口形状は上記実施形態に限定されるものではなく如何ようにも変形できるものとする。